(57)【要約】      （修正有）【課題】ＰＬＣを用いて音声案内できるシステムを提供する。【解決手段】音声データを格納するメモリと、音声再生を実行する音声再生実行部と、上記メモリ内の音声データを再生する音声合成ＬＳＩと、音声合成ＬＳＩの出力を外部に出力する音声出力部と、音声データが格納されているＵＳＢメモリが装着されるＵＳＢポートと、を有し、上記ＵＳＢポートにＵＳＢメモリが装着されたとき、上記メモリ内の音声データを当該ＵＳＢメモリが記憶する音声データに書き換える。【選択図】図１
2011090370.tif 000002
【特許請求の範囲】
【請求項１】
音声データを格納するメモリと、音声再生を実行する音声再生実行部と、上記メモリ内の音声データを再生する音声合成ＬＳＩと、音声合成ＬＳＩの出力を外部に出力する音声出力部と、音声データが格納されているＵＳＢメモリが装着されるＵＳＢポートと、を有し、上記ＵＳＢポートにＵＳＢメモリが装着されたとき、上記メモリ内の音声データを当該ＵＳＢメモリが記憶する音声データに書き換えることができるようになっている、ことを特徴とする音声ＰＬＣ。
【請求項２】
ラダープログラムの実行を司るプログラマブルコントローラ部と、上記プログラマブルコントローラ部からの音声再生の実行指令に応答して音声再生を制御する音声再生コントローラ部と、上記両コントローラ部を接続するバスインターフェースと、を有すると共に、
上記プログラマブルコントローラ部は、ラダープログラムを格納したラダープログラムメモリと、ラダープログラムを実行するＣＰＵと、を備え、
上記音声再生コントローラ部は、ＣＰＵに対して上記バスインターフェースで接続されＣＰＵからの音声再生に関する指令を実行するＭＰＵと、音声データを格納するメモリと、ＭＰＵの音声再生に関する指令により上記メモリ内の音声データを再生する音声合成ＬＳＩと、音声合成ＬＳＩの出力を外部に出力する音声出力部と、音声書換え専用のＵＳＢポートと、を有してなり、
ＵＳＢポートにＵＳＢメモリから音声データが入力され、上記ＭＰＵはこの音声データを上記メモリに格納し、このメモリに格納した音声データを音声合成ＬＳＩで再生し、音声出力部から出力するようになっている、ことを特徴とする音声ＰＬＣ。
【請求項３】
請求項１または２に記載の音声ＰＬＣを音声案内対象に配置することで構築されると共に、いずれかの音声ＰＬＣのメモリ内の音声データを変更するに際しては、その音声ＰＬＣのＵＳＢポートに変更音声データを記憶するＵＳＢメモリを装着し、上記メモリ内の音声データをその装着したＵＳＢメモリに記憶する音声データに書き換えて変更するようにした、ことを特徴とする音声案内システム。
【発明の詳細な説明】
【技術分野】
【０００１】
本発明は、音声を再生できる音声ＰＬＣ（プログラマブルコントローラ）およびこれを用いた音声案内システムに関するものである。
【背景技術】
【０００２】
ＰＬＣは、生産工場等に設置されるファクトリーオートメーション（ＦＡ）の制御装置として、広く用いられている。ＰＬＣは、内部にＣＰＵ、メモリ、入力部、出力部、等を有する。ＣＰＵは、制御対象側の制御状態を示すセンサ等の複数の入力機器からの入力信号を入力部を通じてメモリに取り込み、ラダープログラムに基づき演算実行し、その演算実行結果をメモリに書き込むと共にその書き込んだ演算実行結果を出力部を通じて制御対象を駆動するアクチュエータ等の複数の出力機器側へその制御のための出力信号を送り出す処理を行うことができる（例えば特許文献１参照）。
【０００３】
このようなＰＬＣにおいては、当該ＰＬＣにおけるセンサやアクチュエータの制御状態や、外部通信機器等との通信状態、等をユーザに対して音声報知することができる音声報知装置を配備することが行われている。
【０００４】
しかしながら、このようなＰＬＣにおける上記従来の音声報知システムでは、ＰＬＣ単体以外に、音声報知装置を配線で接続する必要があるが、この配線の存在がシステムの外観、整備、メンテナンス、その他に煩わしいだけでなく、配線コストが嵩むと共に、配線の増設等も必ずしも容易ではなく、音声報知の種類、音声報知装置の増設、変更等にも容易には対応しにくいなど、柔軟性にきわめて乏しい。
【０００５】
さらに、従来の音声報知装置では音声データはＰＲＯＭ等のメモリに格納されるが、この音声データを変更する場合には、メモリを交換することで行われる。そのため、その音声データを現場で変更する場合にはその変更に長い時間が必要となっていた。
【先行技術文献】
【特許文献】
【０００６】
【特許文献１】特開２００５−２５９０７９号公報
【発明の概要】
【発明が解決しようとする課題】
【０００７】
よって、本発明により解決すべき課題は、ＰＬＣそれ自体に上記配線を不要化できる音声再生機能を持たせて音声ＰＬＣとなすと共に、その音声再生機能も、音声の種類や変更等にコスト少なく容易に対処可能となし、かつ、音声データを例えば現場で変更する場合に容易に短時間で行うことが可能な音声ＰＬＣを提供することである。
【０００８】
本発明により解決すべき他の課題は、上記音声ＰＬＣを用いて音声案内システムを構築するに際して、その音声データを簡単に変更できるようにすることである。
【課題を解決するための手段】
【０００９】
本発明第１による音声ＰＬＣは、案内用の音声データを格納するメモリと、音声再生を実行する音声再生実行部と、上記メモリ内の音声データを再生する音声合成ＬＳＩと、音声合成ＬＳＩの出力を外部に出力する音声出力部と、音声データが格納されているＵＳＢメモリが装着されるＵＳＢポートと、を有し、上記ＵＳＢポートにＵＳＢメモリが装着されたとき、上記メモリ内の音声データを当該ＵＳＢメモリが記憶する音声データに書き換えることができるようになっていることを特徴とするものである。
【００１０】
本発明第１では、音声再生機能を内蔵するから、従来のような音声報知装置とＰＬＣとを接続する配線が省略可能であり、低コストで簡単容易に、再生音声の種類や変更、等に容易に対応することができる。
【００１１】
本発明第２による他の音声ＰＬＣは、ラダープログラムの実行を司るプログラマブルコントローラ部と、上記プログラマブルコントローラ部からの音声再生の実行指令に応答して音声再生を制御する音声再生コントローラ部と、上記両コントローラ部を接続するバスインターフェースと、を有すると共に、上記プログラマブルコントローラ部は、ラダープログラムを格納したラダープログラムメモリと、ラダープログラムを実行するＣＰＵと、を備え、上記音声再生コントローラ部は、ＣＰＵに対して上記バスインターフェースで接続されＣＰＵからの音声再生に関する指令を実行するＭＰＵと、音声データを格納するメモリと、ＭＰＵの音声再生に関する指令により上記メモリ内の音声データを再生する音声合成ＬＳＩと、音声合成ＬＳＩの出力を外部に出力する音声出力部と、音声書換え専用のＵＳＢポートと、を有してなり、ＵＳＢポートにＵＳＢメモリから音声データが入力され、上記ＭＰＵはこの音声データを上記メモリに格納し、このメモリに格納した音声データを音声合成ＬＳＩで再生し、音声出力部から出力するようになっていることを特徴とするものである。
【００１２】
本発明第２によれば、プログラマブルコントローラ部と音声再生コントローラ部とがバスインターフェースで接続されているので、従来のような音声報知装置とプログラマブルコントローラとを接続する配線が省略可能であり、しかも、既存のプログラマブルコントローラの内部構成はプログラマブルコントローラ部に保有させることができるので、プログラマブルコントローラの仕様を変更する必要は特になく、既存の入出力モジュールと同等に扱うことが可能であり、したがって、低コストで簡単容易に音声再生コントローラ部を組み込むことができると共に、再生音声の種類や変更、等にも容易に対応することができる。
【００１３】
そして、本発明第２では、プログラマブルコントローラ部が、ラダープログラムを格納したラダープログラムメモリと、ラダープログラムを実行するＣＰＵと、を備え、音声再生コントローラ部が、プログラマブルコントローラ部のＣＰＵに対して上記バスインターフェースで接続されそのＣＰＵからの音声再生に関する指令を実行するＭＰＵと、音声データを格納するメモリと、ＭＰＵの音声再生に関する指令により上記メモリ内の音声データを再生する音声合成ＬＳＩと、音声合成ＬＳＩの出力を外部に出力する音声出力部と、音声書換え専用のＵＳＢポートと、を有し、ＵＳＢポートにＵＳＢメモリから音声データが入力され、上記ＭＰＵはこの音声データを上記メモリに格納し、このメモリに格納した音声データを音声合成ＬＳＩで再生し、音声出力部から出力するようになっているので、ＵＳＢメモリにその音声データを書き込み、このＵＳＢメモリに書き込んだ音声データを再生でき、例えば現場で音声データを短時間で変更することが可能である。
【００１４】
本発明第３の音声案内システムは、本発明第１または第２の音声ＰＬＣを音声案内対象に配置することで構築されると共に、いずれかの音声ＰＬＣのメモリ内の音声データを変更するに際しては、その音声ＰＬＣのＵＳＢポートに変更音声データを記憶するＵＳＢメモリを装着し、上記メモリ内の音声データをその装着したＵＳＢメモリに記憶する音声データに書き換えて変更するようにした、ことを特徴とするものである。
【００１５】
この音声案内対象は、例えば美術館や博物館等の展示会建屋内部あるいは、駅構内や地下街等の例えば通路各所といった箇所の音声案内に限らず、各種機械に設置されて、その機械による制御の進行の音声案内でもよく、また、音声ＰＬＣの設置数も１つ、または複数を含むことができる。
【発明の効果】
【００１６】
本発明の音声ＰＬＣでは、音声の種類や変更等に対して、ＵＳＢメモリにより簡単に対処することができる。したがって、本発明の音声案内システムでは、上記音声ＰＬＣを用いるから、音声の種類や変更等にもコスト少なく容易に対処することができるシステムを構築することができる。
【図面の簡単な説明】
【００１７】
【図１】図１は本発明の実施の形態にかかる音声ＰＬＣを用いた音声案内システムを示す図である。
【図２】図２は、図１の音声ＰＬＣの内部構成を示す図である。
【図３】図３は、図１の音声ＰＬＣの他の構成例を示す図である。
【発明を実施するための形態】
【００１８】
以下、添付した図面を参照して本発明の実施の形態に係る音声ＰＬＣおよびこれを用いた音声案内システムを詳細に説明する。
【００１９】
図１は、実施の形態の音声ＰＬＣを用いた音声案内システムを示す。このシステムは、例えば美術館や博物館等の展示会建屋内部あるいは、駅構内や地下街等の例えば通路１各所に相互通信可能に複数の音声ＰＬＣ３を配置して構成される。
【００２０】
通路Ａに配置の音声ＰＬＣ３は、通路１を実線矢印方向ａ１またはａ２のいずれかを音声案内する。
【００２１】
通路Ｂに配置の音声ＰＬＣ３は、通路１を実線矢印方向ｂ１を音声案内する。
【００２２】
通路Ｃに配置の音声ＰＬＣ３は、通路１を実線矢印方向ｃ１またはｃ２のいずれかを音声案内する。
【００２３】
各音声ＰＬＣ３はいずれもＵＳＢメモリ５が装着可能なＵＳＢポートを具備している。このＵＳＢポートには、通路１を案内する音声データが格納されているＵＳＢメモリ５が装着される。このＵＳＢメモリ５に格納する音声データは、案内管理センター７内の音声データ作成ツール９で作成される。
【００２４】
このツール９で作成した音声データはＵＳＢメモリ５にダウンロードされて書き込まれる。そして、通路１各所の現場に設置された各音声ＰＬＣ３のうち、例えば図１中破線矢印で示すように通路Ａに設置の音声ＰＬＣ３のＵＳＢポートにそのＵＳＢメモリ５を装着し、当該音声ＰＬＣ３内部のメモリにＵＳＢメモリ５内の音声データを格納させたり、あるいはすでに格納してある音声データを新しい音声データに書き換えたりすることができるようになっている。
【００２５】
以上の音声ＰＬＣ３を用いた音声案内システムにおいては、現場にて、音声データを新しい音声データに変更したりするのに、ＵＳＢメモリ５から音声ＰＬＣ３にダウンロードすることで変更することができるので、変更作業が極めて簡単にできる。
【００２６】
上記音声ＰＬＣ３は、プログラマブルコントローラ機能と音声案内機能とを別々独立した機能構成としてもよいし、プログラマブルコントローラ機能で制御される制御対象に対して、その制御推移を音声で案内説明することで相互に関係付けした機能構成としてもよい。例えば、音声ＰＬＣ３は、図１で示すように、複数で構成した音声案内システムとしてもよいが、複数ではなく、例えば調理器に音声ＰＬＣ３を１台内蔵させ、調理の進行をその音声ＰＬＣ３で説明するようにしてもよい。この場合、音声ＰＬＣ３は、調理器内の各種センサからの信号で調理をシーケンス制御すると共に、その制御状態を音声で案内するようにしてもよい。
【００２７】
図２を参照して図１にシステムに用いる音声ＰＬＣ３を説明すると、この音声ＰＬＣ３は、シーケンスプログラムに従い音声案内を実行するＣＰＵ３ａ、システム制御プログラムが格納されるシステムメモリ３ｂ、シーケンスプログラムが格納されているプログラムメモリ３ｃ、内部に案内用の音声データを格納した音声データメモリ３ｄ、他の音声ＰＬＣ３との通信インターフェース３ｅ、ＵＳＢコントローラ３ｆ、ＵＳＢポート３ｇ、音声データ処理部３ｈ、スピーカドライバ３ｉ、スピーカ３ｊ、およびバスインターフェース３ｋを備える。
【００２８】
ＣＰＵ３ａは、音声データメモリ３ｄから音声データを読み出し、音声データ処理部３ｈに音声データを処理させて、スピーカドライバ３ｉを介してその音声データをスピーカ３ｊから発音させるように制御する。
【００２９】
音声ＰＬＣ３は、バスインターフェース３ｋを介してバス９に接続されたＩ／Ｏモジュール１１からＩ／Ｏデータ（Ｉ／Ｏモジュール１１に接続された図示略の各種デバイスからのデータ）を取り込み、音声案内以外にも、各種制御を実行できるようになっている。
【００３０】
そして、音声ＰＬＣ３のＵＳＢポート３ｇにはＵＳＢメモリ５が装着される。このＵＳＢメモリ５には案内用の音声データが格納されている。ＵＳＢメモリ５には、案内管理センター７内の音声データ作成ツール９で作成された音声データが書き込まれる。そして、音声ＰＬＣ３のＵＳＢポート３ｇにＵＳＢメモリ５を装着し、音声データメモリ３ｄに格納してある音声データをＵＳＢメモリ５に格納してある音声データに書き換えて変更することができるようになっている。
【００３１】
通路１各所の音声ＰＬＣ３は、通信インターフェース３ｅを介して互いのＣＰＵ３ａ間で通信可能になっており、通路１各所の音声ＰＬＣ３が用いる音声データをいずれか１つの音声ＰＬＣ３の音声データメモリ３ｄにＵＳＢメモリ５から書き込むと、それら音声データは他の音声ＰＬＣ３に通信で伝送されてそれぞれの音声データメモリ３ｄにダウンロードされるようになっている。もちろん、各音声ＰＬＣ３の音声データメモリ３ｄに個別にＵＳＢメモリ５から音声データを書き込むようにしてもよい。
【００３２】
以上説明した図２で示す音声ＰＬＣ３では、音声再生機能を内蔵するから、この音声ＰＬＣ３を図１の音声案内システムに用いた場合、低コストで簡単容易に、案内音声の種類や変更等に容易に対応することができる。
【００３３】
図３は上記音声ＰＬＣ３の変形例を示す。図３を参照して、この音声ＰＬＣ３は、プログラマブルコントローラ部３１と、音声再生コントローラ部３２とを備える。プログラマブルコントローラ部３１と音声再生コントローラ部３２はバスインターフェース３１ｄ，３２ｂを介して接続されている。
【００３４】
プログラマブルコントローラ部３１は、ラダープログラムやその他のプログラム、データ等を格納する各種メモリ３１ｂ、ラダープログラムを実行するＣＰＵ３１ａ、さらに、バスインターフェース３１ｃを備えている。バスインターフェース３１ｃにはバス９を介し各種Ｉ／Ｏモジュール１１が接続される。
【００３５】
プログラマブルコントローラ部３１においては、上記ラダープログラムの一部に、音声再生コントローラ部３２における音声再生制御に用いるプログラム要素が組み込まれている。そしてプログラマブルコントローラ部３１は、上記したプログラム要素を実行して音声再生コントローラ部３２に対して音声再生を実行させることができるようになっている。
【００３６】
音声再生コントローラ部３２は、上記音声再生の実行指令に応答して、音声を再生できるように、ＵＳＢポート３２ｅ、ＵＳＢコントローラ３２ｄ、を備えると共に、ＣＰＵ３１ａに対して上記バスインターフェース３１ｄ，３２ｂで接続されＣＰＵ３１ａからの音声再生に関する指令を実行するＭＰＵ３２ａ、音声データを格納するフラッシュＲＯＭ等のメモリ３２ｆ、ＭＰＵ３２ａの音声再生に関する指令により上記メモリ３２ｆ内の音声データを再生する音声合成ＬＳＩ３２ｇ、音声合成ＬＳＩ３２ｇの出力を外部に出力するアンプ３２ｈ、およびスピーカ３２ｉ、を備える。ＵＳＢポート３２ｅにはＵＳＢメモリ５から音声データが入力され、ＭＰＵ３２ａはこの音声データをメモリ３２ｆに格納する。
【００３７】
音声合成ＬＳＩ３２ｇからの音声データはアンプ３２ｈで増幅されスピーカ３２ｉから外部に音声出力されるようになっている。
【００３８】
以上で説明した図３で示す音声ＰＬＣ３では、ラダープログラムの実行を司るプログラマブルコントローラ部３１と、プログラマブルコントローラ部３１からの音声再生の実行指令に応答して音声再生を制御する音声再生コントローラ部３２と、両コントローラ部３１，３２を接続するバスインターフェース３１ｄ，３２ｂと、を備えた構成であるので、従来のごとく、プログラマブルコントローラと音声報知装置とを接続する配線が不要であると共に、その音声再生も、プログラマブルコントローラ部３１からバスインターフェース３１ｄ，３２ｂを介して音声再生コントローラ部３２を制御して行うことができるので、音声の種類や変更等にもコスト少なく容易に対処することができる。
【００３９】
本発明は、上述した実施の形態に限定されるものではなく、特許請求の範囲に記載した範囲内で、種々な変更ないしは変形を含むものである。
【符号の説明】
【００４０】
１  通路
３  音声ＰＬＣ
５  ＵＳＢメモリ
７  案内管理センター
９  音声データ作成ツール
【図１】
2011090370.tif 000003
【図２】
2011090370.tif 000004
【図３】
2011090370.tif 000005